(57)【特許請求の範囲】
【請求項１】
患者ＩＤに複数ある工程の各々の日程を関連付けた第１情報を登録するデータベースと、
ネットワークから前記日程の変更要求を受信する受信部と、
前記変更要求とともに受信される変更後の第１情報を保持する新情報保持部と、
前記新情報保持部に保持されている前記変更後の第１情報及び前記データベースに登録されている変更前の第１情報を前記ネットワークに送信する送信部と、
前記ネットワークから更新要求が前記受信部で受信されると前記データベースの登録内容を前記変更後の第１情報に更新するデータ管理部と、
前記更新要求が受信されると前記変更前の第１情報を保持する旧情報保持部とを備え、
前記受信部は、前記ネットワークから前記日程の閲覧要求を受信し、
前記送信部は、前記閲覧要求が受信されると前記データベースに登録されている前記変更後の第１情報及び前記旧情報保持部に保持されている前記変更前の第１情報を前記ネットワークに送信し、
スタッフＩＤが付随する前記閲覧要求の履歴情報を蓄積する蓄積部をさらに備え、
前記送信部は、前記履歴情報に基づいて、前記旧情報保持部に保持されている複数の前記変更前の第１情報の中から前記スタッフＩＤに紐付けられるものを選択的に送信することを特徴とする重粒子線治療のスケジュール管理装置。
【請求項２】
請求項１に記載の重粒子線治療のスケジュール管理装置において、
前記データベースは、前記複数ある工程の各々に担当するスタッフＩＤを関連付けた第２情報をさらに登録し、
前記ネットワークから受信した選択要求に付随するスタッフＩＤに紐付けられる前記工程の情報を選択する情報選択部を備えることを特徴とする重粒子線治療のスケジュール管理装置。
【請求項３】
請求項１又は請求項２に記載の重粒子線治療のスケジュール管理装置において、
前記ネットワークからテキスト情報要求を受信すると、前記データベース及び前記旧情報保持部のうち少なくともいずれかに含まれるテキスト情報を前記ネットワークに送信させるテキスト表示管理部を備えることを特徴とする重粒子線治療のスケジュール管理装置。
【請求項４】
請求項１から請求項３のいずれか１項に記載の重粒子線治療のスケジュール管理装置において、
前記データベース、前記新情報保持部、又は前記旧情報保持部に含まれる前記第１情報は、前記変更前のものと前記変更後のものとがスケジュール表示フォームにおいて互いに区別可能に表示されるように、前記送信部から前記ネットワークに送信されることを特徴とする重粒子線治療のスケジュール管理装置。
【請求項５】
データベースが、患者ＩＤに複数ある工程の各々の日程を関連付けた第１情報を登録するステップと、
受信部が、ネットワークから前記日程の変更要求を受信するステップと、
新情報保持部が、前記変更要求とともに受信される変更後の第１情報を新情報として保持するステップと、
送信部が、前記新情報として保持されている前記変更後の第１情報及び前記データベースに登録されている変更前の第１情報を前記ネットワークに送信するステップと、
データ管理部が、前記ネットワークから更新要求が受信されると前記データベースの登録内容を前記変更後の第１情報に更新するステップと、
旧情報保持部が、前記更新要求が受信されると前記変更前の第１情報を旧情報として保持するステップと、
前記受信部が、前記ネットワークから前記日程の閲覧要求を受信するステップと、
前記送信部が、前記閲覧要求が受信されると前記データベースに登録されている前記変更後の第１情報及び前記旧情報として保持されている前記変更前の第１情報を前記ネットワークに送信するステップと、
蓄積部が、スタッフＩＤが付随する前記閲覧要求の履歴情報を蓄積するステップと、
前記送信部が、前記履歴情報に基づいて、前記旧情報として保持されている複数の前記変更前の第１情報の中から前記スタッフＩＤに紐付けられるものを選択的に送信するステップと、を含むことを特徴とする重粒子線治療のスケジュール管理装置の制御方法。
【請求項６】
コンピュータを、
患者ＩＤに複数ある工程の各々の日程を関連付けた第１情報をデータベースに登録する手段、
ネットワークから前記日程の変更要求を受信する手段、
前記変更要求とともに受信される変更後の第１情報を新情報として保持する手段、
前記新情報として保持されている前記変更後の第１情報及び前記データベースに登録されている変更前の第１情報を前記ネットワークに送信する手段、
前記ネットワークから更新要求が受信されると前記データベースの登録内容を前記変更後の第１情報に更新する手段、
前記更新要求が受信されると前記変更前の第１情報を旧情報として保持する手段、
前記ネットワークから前記日程の閲覧要求を受信する手段、
前記閲覧要求が受信されると前記データベースに登録されている前記変更後の第１情報及び前記旧情報として保持されている前記変更前の第１情報を前記ネットワークに送信する手段、
スタッフＩＤが付随する前記閲覧要求の履歴情報を蓄積する手段、
前記履歴情報に基づいて、前記旧情報として保持されている複数の前記変更前の第１情報の中から前記スタッフＩＤに紐付けられるものを選択的に送信する手段、として機能させることを特徴とする重粒子線治療のスケジュール管理プログラム。
【発明の詳細な説明】
【技術分野】
【０００１】
本発明は、重粒子線治療に関わるスタッフの業務スケジュールを管理する技術に関する。
【背景技術】
【０００２】
重粒子線治療に関する業務は、固定具作成、シミュレーション、ＣＴ撮影、リハーサルなどの前準備を経て実際の照射（治療）を行う。さらに、この間に倫理委員会での審査や承認行為などワークフローに関わる業務も含まれる。
そして、医療業務に関わる多くのスタッフは、重粒子線治療の業務スケジュールに係る情報を正確に把握することと、その情報の全体を全員で共有することとが要求されている。
【０００３】
このため、重粒子線治療のスケジュール管理装置において、業務スケジュールの管理が行われている。
ところで、従来の重粒子線治療のスケジュール管理装置として、放射線治療に用いるアクセサリを効率的に予約管理する発明が知られている（例えば、特許文献１）。また、放射線治療における業務全般の情報を入力・参照する発明が知られている（例えば、特許文献２）。
【先行技術文献】
【特許文献】
【０００４】
【特許文献１】特開２００９−１８３５０４号公報
【特許文献２】特開２００８−２６２４２８号公報
【発明の概要】
【発明が解決しようとする課題】
【０００５】
ところで、スケジュール管理装置は、治療工程を立案する最初の段階において、効率的な業務スケジュールを最適化処理により作成する。そして、患者都合や院内の業務進捗の状況にあわせて、治療予定の変更が必要な場合は、業務スケジュールの見直しを適宜行っている。
【０００６】
しかし、従来の重粒子線治療のスケジュール管理装置では、複雑な業務スケジュールの変更作業において、変更前の初期状態を正確に記憶していないために、一度変更した日程を元に戻すことが困難であった。
【０００７】
つまり従来では、業務スケジュールの内容を初期状態に戻したり、変更前の状態を把握したりしようとする場合、旧情報を予め紙帳票等に出力しておく必要があった。
また、スタッフが、各自の業務スケジュールを確認する際、他のスタッフの業務スケジュールの全てが表示されるため、開示された情報の中から自分に関わる業務を探すのが困難であった。
このように、従来技術においては、業務効率の低下を招くとともに、また紙帳票とつき合わせる情報確認の過程で人為的ミスが発生する懸念があった。
【０００８】
本発明はこのような事情を考慮してなされたもので、業務スケジュールの変更がなされる場合において、変更の前後の状態を画面で確認できる重粒子線治療のスケジュール管理技術を提供することを目的とする。
【課題を解決するための手段】
【０００９】
本発明に係る重粒子線治療のスケジュール管理装置は、患者ＩＤに複数ある工程の各々の日程を関連付けた第１情報を登録するデータベースと、ネットワークから前記日程の変更要求を受信する受信部と、前記変更要求とともに受信される変更後の第１情報を保持する新情報保持部と、前記新情報保持部に保持されている前記変更後の第１情報及び前記データベースに登録されている変更前の第１情報を前記ネットワークに送信する送信部と、前記ネットワークから更新要求が前記受信部で受信されると前記データベースの登録内容を前記変更後の第１情報に更新するデータ管理部と、前記更新要求が受信されると前記変更前の第１情報を保持する旧情報保持部を備え、前記受信部は、前記ネットワークから前記日程の閲覧要求を受信し、前記送信部は、前記閲覧要求が受信されると前記データベースに登録されている前記変更後の第１情報及び前記旧情報保持部に保持されている前記変更前の第１情報を前記ネットワークに送信し、スタッフＩＤが付随する前記閲覧要求の履歴情報を蓄積する蓄積部をさらに備え、前記送信部は、前記履歴情報に基づいて、前記旧情報保持部に保持されている複数の前記変更前の第１情報の中から前記スタッフＩＤに紐付けられるものを選択的に送信することを特徴とする。
【発明の効果】
【００１０】
本発明により、業務スケジュールの変更がなされる場合において、変更の前後の状態を画面で確認できる重粒子線治療のスケジュール管理技術が提供される。
【図面の簡単な説明】
【００１１】
【図１】重粒子線治療における複数の工程を示すフローチャート。
【図２】本発明に係る重粒子線治療のスケジュール管理装置の実施形態を示すブロック図。
【図３】患者情報と、患者ＩＤに重粒子線治療の各々の工程の日程を関連付けた第１情報とを示すテーブル。
【図４】スタッフ情報と、重粒子線治療の工程の各々に担当するスタッフＩＤを関連付けた第２情報とを示すテーブル。
【図５】モニタに表示されるスケジュール画面。
【図６】モニタに表示されるスケジュール画面。
【図７】モニタの表示画面における、（Ａ）全ての工程を示すスケジュール表示フォーム、（Ｂ）特定のスタッフＩＤに紐付けられる工程を選択的に表示したスケジュール表示フォーム。
【図８】モニタの表示画面における、（Ａ）スケジュール表示フォーム、（Ｂ）特定の工程における詳細情報を示すテキスト表示フォーム。
【図９】重粒子線治療のスケジュール管理装置において日程の変更を行う場合の実施形態を示すフローチャート。
【図１０】重粒子線治療のスケジュール管理装置において日程の閲覧を行う場合の実施形態を示すフローチャート。
【発明を実施するための形態】
【００１２】
（第１実施形態）
以下、本発明の実施形態を添付図面に基づいて説明する。
図１に示すように複数の工程を経て重粒子線治療は実施される。
まず、外来した患者に対し、担当医がガンの進行状況や性質を問診し、重粒子線治療に適しているか否かについて適格性が検討される（Ｓ１１）。そして他日、複数の専門医により、重粒子線の照射方針が検討される（Ｓ１２）。
【００１３】
次に、他日、患者を来院させ、患者が一定の姿勢を保ち病巣に対して正確に重粒子線を照射するための個別の固定具を作成する（Ｓ１３）。そして他日、作成した固定具を用いて、照射方針で検討された方向からＣＴ撮影を実施する（Ｓ１４）。
次に、ＣＴ撮影による影像結果をもとに標的となる患部をコンピュータ上に入力し、線量分布の作成等の治療計画がなされる（Ｓ１５）。
【００１４】
そして他日、治療時の患者の体位、重粒子線照射の方向・回数・間隔などのプロトコルの作成、使用するリッジフィルター、患者コリメータ、ボーラスなどの照射野形成用具の選択を行う治療検討会を行う（Ｓ１６）。
次に、他日、リハーサル室において患者が本番の重粒子線照射と同じ体位をとり、本番時における不都合の有無を確認する治療リハーサルを行う（Ｓ１７）。
【００１５】
なお、上述した（Ｓ１２）〜（Ｓ１７）の流れに並行して、患者及びその親族に対して、重粒子線治療についての詳しい説明を行い、インフォームドコンセントの場において、同意書に署名、捺印が行われる（Ｓ２２）。さらに、院内外の専門家による会議における倫理審査において、当該患者に対する重粒子線照射の許可／中止について判断される（Ｓ２３）。
【００１６】
この倫理審査において、中止の判断がなされれば重粒子線照射は中止され（Ｓ１８：Ｎｏ）、許可の判断がなされれば重粒子線照射を行うことができる（Ｓ１８：Ｙｅｓ）。
重粒子線照射は、場合によって日をおいて何回かに分けて実行され、治療リハーサルで定めた姿勢をとる患者に対し、作成されたプロトコルに従い重粒子線を患部に照射する（Ｓ１９）。
そして、患者退院後、外来によりＣＴ撮影やＭＲＩ撮影等によって病巣や全身の状態を観察し効果判定が行われ（Ｓ２０）、その結果が委員会に報告される（Ｓ２１）。
【００１７】
図２に示すように重粒子線治療のスケジュール管理装置１０（以下、単に「管理装置１０」という）は、スタッフが操作する端末４０とともに通信ネットワークＮに接続されている。
【００１８】
管理装置１０は、患者ＩＤに複数ある工程の各々の日程を関連付けた第１情報（図３参照）を登録するデータベース３０と、ネットワークＮから日程の変更要求ａを受信する受信部（送受信部１１）と、変更要求ａとともに受信される変更後の第１情報（図示略）を保持する新情報保持部１９と、この新情報保持部１９に保持されている前記変更後の第１情報及びデータベース３０に登録されている変更前の第１情報（符号３３）をネットワークＮに送信する送信部（送受信部１１）と、ネットワークＮから更新要求ｂが受信部（送受信部１１）で受信されるとデータベース３０の登録内容を前記変更後の第１情報に更新するデータ管理部２１と、を備えている。
【００１９】
さらに、管理装置１０は、認証部１２と、アクセス権限監視部１３と、表示制御部１４と、情報選択部１５と、スケジュール表示フォーム格納部１６と、テキスト表示管理部１７と、を備えている、
そして、データベース３０は、患者情報３１と、スタッフ情報３２と、患者日程情報３３（第１情報）と、スタッフ担当情報３４（第２情報）と、を登録している。
【００２０】
そして、データベース３０では、図３に示すように、患者氏名等に患者ＩＤを関連付けた患者情報３１と、重粒子線治療の各々の工程の日程を示す第１情報の集合体である患者日程情報３３と、がテーブルデータとして管理されている。
さらに、図４に示すように、スタッフ氏名等にスタッフＩＤ（ＳＦ−１〜ＳＦ−ｍ）を関連付けたスタッフ情報３２と、重粒子線治療の各々の工程（第１工程〜第ｎ工程；図１参照）を示す第２情報の集合体であるスタッフ担当情報３２と、がテーブルデータとして管理されている。
【００２１】
図２に示すように、端末４０は、管理装置１０から送信されるスケジュール画面等（図５〜図８）を表示するモニタ４１と、この表示情報に対してスタッフによる各種要求（変更要求ａ，更新要求ｂ，閲覧要求ｃ，選択要求ｄ，テキスト情報要求ｅ）を入力する入力部４２と、これら各種要求をネットワークＮに送信するとともに管理装置１０からの応答を受信する通信部４３と、これらモニタ４１，入力部４２及び通信部４３に出力又は入力されるデータを処理する出入力処理部４４と、を備えている。
そして、端末４０は、ネットワークＮを経由して管理装置１０にログインをする場合に、スタッフＩＤ及びパスワードの入力を求める。
【００２２】
管理装置１０において認証部１２は、端末４０から送信されるスタッフＩＤ及びパスワードが予め登録されているスタッフ情報３２に一致していることを確認してログインを試みるスタッフの識別及びなりすましの防止を行う。
アクセス権限監視部１３は、スケジュール画面（図５〜図８）の閲覧要求ｃのみの許可か、開示されている情報の変更要求ａも許可されているかといった、ログインしたスタッフの権限を監視する。
【００２３】
表示制御部１４は、データベース３０、新情報保持部１９、又は旧情報保持部２０に含まれる第１情報を、変更前のものと変更後のものとが互いに区別できるように表示する。
つまり、表示制御部１４は、端末４０からの要求（変更要求ａ，更新要求ｂ，閲覧要求ｃ，選択要求ｄ，テキスト情報要求ｅ）に応じて、新情報保持部１９、旧情報保持部２０及び／又はデータベースから第１情報（図３）を引き出して、それぞれの出所毎に識別できるように格納部１６にあるスケジュール表示フォームに、割り付ける。
そして、スケジュール表示フォームにこれら第１情報が貼り付けられたウェブページのデータが送受信部１１から送信されて、端末４０のモニタ４１にスケジュール画像（図５）として表示される。
【００２４】
図５に示すようにスケジュール画像は、患者の見出し項目が縦方向に配列され、さらに横方向に各々の工程（第１工程、…第ｎ工程）を識別するマークが、日程の時間軸に沿って割り付けられている。なお、このスケジュール画像を縦方向又は横方向にスクロールすることで、隠れて表示されていない患者や他の工程の日程を閲覧することができる。
【００２５】
また、このスケジュール画像は、日程の変更操作が行われた場合、符号４８で示される変更後の日程に対し、変更前の日程を符号４７のように識別可能に表示する。さらに、他の工程や、その他の患者の工程の変更を行った場合も同様に、変更前と変更後の日程が識別可能となるように表示する。
【００２６】
また、複数の工程の日程変更を行うのに伴って、ある工程の変更後の日程が、他の工程の変更前の日程に重複することも考えられるが、そのような場合は、図６に示すように、他のウィンドウを表示して変更前と変更後の日程が識別可能となるようにする。
そして、登録ボタン４５を選択操作することで、変更後の第１情報が、データベース３０に登録される患者日程情報３３として更新される。
【００２７】
これは、一つの工程の日程変更を行うだけでも、連鎖的に他の工程の日程変更も強いられ、重粒子線治療のスケジュール全体の見直しを迫られることが頻繁に起きることに対応するものである。また、一つの工程の日程変更をした後で、他の工程との関係から、変更した日程を再変更することも頻繁に起きることにも対応するものである。
工程の変更を行うスタッフは、個々の工程の日程設定のバランスに配慮する必要があり、スケジュール全体の変更が確定してから管理装置１０のデータベース３０の登録内容を更新することで、合理的にスケジュール管理を行うことができる。
【００２８】
図９のフローチャートに基づいて重粒子線治療のスケジュールにおける日程変更を行う場合の動作について説明する（適宜、図２参照）。
患者ＩＤに複数ある工程の各々の日程を関連付けた患者日程情報３３（第１情報）がデータベース３０に登録されている。そして、ある患者のある工程に日程の変更が発生した場合、スタッフによる入力部４３の操作が行われることにより端末４０から変更要求ａが送信される（Ｓ３１）。
【００２９】
なお、変更要求ａが送信されるにあたって、ログインするのに必要なスタッフＩＤとパスワードが送信される。そして、データベース３０に蓄積されているスタッフ情報３２（スタッフＩＤ）と照合されて当該スタッフの認証と変更権限の有無が確認される（Ｓ３２：Ｙｅｓ，Ｓ３３：Ｙｅｓ）。これらが、確認されない場合は、スケジュールの変更操作を行うことができない（Ｓ３２：Ｎｏ，Ｓ３３：Ｎｏ）。
【００３０】
そして、管理装置１０がネットワークＮから変更要求ａを受信すると、データベース３０に蓄積されている患者日程情報３３（第１情報）が、格納部１６のスケジュール表示フォームに割り付けられる。このようにして作成されたスケジュール画面のデータが送受信部１１から送信されて、端末４０のモニタ４１に画面表示される（Ｓ３４）。
【００３１】
スタッフは、このスケジュール画面を参照しつつ、入力部４２から日程の変更を行う。この変更後の日程（第１情報）のデータは、逐一、端末４０からネットワークＮに送信される（Ｓ３５：Ｎｏ）。そして、この変更後の第１情報は、新情報として管理装置１０で受信され、新情報保持部１９に保持される（Ｓ３６）。
【００３２】
そして、管理装置１０は、この新情報保持部１９で保持されている変更後の第１情報及びデータベース３０に登録されている旧情報（変更前の第１情報）を、格納部１６のスケジュール表示フォームに割り付けてネットワークＮに送信する（Ｓ３７）。
このように日程変更が入力される度に、変更後の第１情報（新情報）と変更前の第１情報（旧情報）が互いに区別できるように表示されたスケジュール画面（図５）が、モニタ４１に新しく画面表示される（Ｓ３４,Ｓ３５：Ｎｏ）。
【００３３】
スケジュール全体における日程変更の作業が終了し（Ｓ３５：Ｙｅｓ）、スケジュール画面上の登録ボタン４５（図５）が操作されると、端末４０から更新要求ｂが送信される（Ｓ３８）。
管理装置１０は、ネットワークＮから更新要求ｂを受信すると、データベースに登録されている変更前の第１情報（旧情報）は、旧情報保持部２０に転送されて保持される（Ｓ３９）。そして、データベース３０の登録内容が変更後の第１情報（新情報）に更新される（Ｓ４０）。
【００３４】
さらに、新情報保持部１９に保持されていた変更後の第１情報（新情報）は、削除される。なお、フローチャートに反映されていないが、変更後の第１情報（新情報）に更新されたデータベース３０の登録内容を、スケジュール画面に反映させて端末４０のモニタ４１に確認表示させてもよい。
【００３５】
このように、実施形態においては、複数にわたる工程の日程変更を、変更前と変更後の状態を確認しながらスケジュール全体を調整することができる。これにより、スケジュール管理の業務効率の向上と人間の間違いリスクの低減を達成する。
以上、重粒子線治療における工程の日程変更をするときの実施形態について述べた。
【００３６】
（第２実施形態）
次に、再び図２を参照して、重粒子線治療のスケジュールの閲覧を行う場合について説明を行う。
管理装置１０は、更新要求ｂが受信されると前記変更前の第１情報を保持する旧情報保持部２０を、さらに備えている。
そして、送受信部１１が、ネットワークＮから日程の閲覧要求ｃを受信すると、データベース３０に登録されている変更後の第１情報（新情報）及び旧情報保持部２０に保持されている変更前の第１情報（旧情報）をネットワークＮに送信する。
【００３７】
これにより、変更要求ａがなされて、新情報が次から次へとデータベース３０に登録される度に、それまでデータベース３０に登録されていた旧情報は、旧情報保持部２０に転送されて保持される。
そしてスタッフが、端末４０のモニタ４１に表示させてスケジュール画像（図５）を閲覧する場合、変更後の第１情報（新情報）以外に、変更前の第１情報（旧情報）も表示されるので、当該工程に日程変更があったことを認識することができる。
【００３８】
さらに、管理装置１０は、スタッフＩＤが付随する閲覧要求ｃの履歴情報を蓄積する閲覧履歴蓄積部１８を備えている。
そして、送信部（送受信部１１）は、この履歴情報に基づいて、旧情報保持部２０に保持されている複数の変更前の第１情報の中から前記スタッフＩＤに紐付けられるものを選択的に送信する。
【００３９】
つまり、工程の日程変更は、日をまたいで複数回にわたり行われる場合がある。すると、変更前の第１情報（旧情報）に該当するデータが複数にわたり旧情報保持部２０に保持されていることになる。
このような場合、変更前の第１情報（旧情報）としてどのデータをスケジュール画面に割り当てるかは、スタッフＩＤに係る閲覧履歴情報に基づいて行われる。
多くの場合、スタッフの前回閲覧時にデータベース３０に登録されていた患者日程情報３３を、変更前の第１情報（旧情報）として認識することがスケジュール管理において合理的であるといえる。
【００４０】
さらに、管理装置１０は、ネットワークＮから選択要求ｄを受信すると、この選択要求ｄに付随するスタッフＩＤに紐付けられる前記工程の情報を選択する情報選択部１５を備えている。
そして、情報選択部１４は、この選択要求ｄを受信すると、情報選択部１５が選択した前記工程の情報のみをスケジュール表示フォームに割り付ける。このようにして作成されたスケジュール画面のデータが送受信部１１からネットワークＮに送信される。
【００４１】
つまり、図７（Ａ）に示される全ての工程の日程情報が示されるスケジュール画面において、選択ボタン４６を操作すると端末４０から選択要求ｄが送信され、図７（Ｂ）に示すように、当該スタッフＩＤが担当する工程の日程情報のみが選択的に表示される。
このように、管理装置１０は、端末４０を操作するスタッフにとって重要な情報を選択的にスケジュール画面に表示させることができ、業務効率の向上と人間の間違いのリスク低減を達成する。
【００４２】
さらに、管理装置１０は、ネットワークＮからテキスト情報要求ｅを受信すると、データベース３０及び旧情報保持部２０のうち少なくともいずれかに含まれるテキスト情報をネットワークＮに送信させるテキスト表示管理部１７を備えている。
【００４３】
つまり、図８（Ａ）に示される全ての工程の日程情報が示されるスケジュール画面において、いずれかの患者のいずれか一つの工程（マーク）を特定する操作をすることにより、端末４０からテキスト情報要求ｅが送信され、図８（Ｂ）に示すように、当該工程の詳細な情報が表示される。
ここで表示される工程の詳細な情報とは、旧情報保持部２０に保持されているこれまでの変更情報の履歴の他に、データベース３０に登録されている患者情報３１等やその他の有益な情報が該当する。
【００４４】
また、図８に示されるテキスト情報フォームに開示される情報は、特定された工程に関するものに限定されるのではなく、関連する工程、又は全体の工程についての情報が開示されるようにしてもよい。
これにより、管理装置１０は、特定の工程に関連した多くの情報を網羅的にスケジュール画面に表示させることができ、業務効率の向上と人間の間違いのリスク低減を達成する。
【００４５】
図１０のフローチャートに基づいて重粒子線治療のスケジュールにおける日程の閲覧を行う場合の動作について説明する（適宜、図２参照）。
患者ＩＤに複数ある工程の各々の日程を関連付けた患者日程情報３３（第１情報）及び複数ある工程の各々に担当するスタッフＩＤを関連付けたスタッフ担当情報３４（第２情報）がデータベース３０に登録されている。
スタッフが重粒子線治療のスケジュール画面を閲覧しようとして、入力部４３を操作することにより、端末４０から閲覧要求ｃが送信される（Ｓ５１）。
【００４６】
なお、閲覧要求ｃが送信されるにあたって、ログインするのに必要なスタッフＩＤとパスワードが送信される。そして、データベース３０に蓄積されているスタッフ情報３２（スタッフＩＤ）と照合されて当該スタッフの認証が行われる（Ｓ５２：Ｙｅｓ）。この認証が許可されない場合は、スケジュール画面を閲覧することができない（Ｓ５２：Ｎｏ）。
【００４７】
管理装置１０が、ネットワークＮから閲覧要求ｃを受信すると、この閲覧要求ｃに付随するスタッフＩＤに関して閲覧履歴蓄積部１８を参照する（Ｓ５３）。そして、前回の閲覧時を基準にしてそれ以降に保持されかつ当該スタッフＩＤに紐付けられる変更前の第１情報（旧情報）が旧情報保持部２０に有る場合（Ｓ５４：Ｙｅｓ）、前回閲覧の基準時以降で最も古い第１情報を選択して旧情報保持部２０から取得する（Ｓ５５）。
【００４８】
そして、管理装置１０は、取得した旧情報とともに、データベース３０に登録されている変更後の第１情報（新情報）を、スケジュール表示フォームに割り付けて端末４０に送信する（Ｓ５６）。
一方、旧情報保持部２０において、前回の閲覧時を基準にしてそれ以降に保持されかつ当該スタッフＩＤに紐付けられる変更前の第１情報（旧情報）が無い場合（Ｓ５４：Ｎｏ）、管理装置１０は、データベース３０に登録されている変更後の第１情報（新情報）のみを、スケジュール表示フォームに割り付けて端末４０に送信する（Ｓ５６）。
【００４９】
端末４０のモニタ４１に、スケジュール画面が表示された状態で（Ｓ５７）、選択ボタン４６（図７（Ａ））を操作すると、端末４０からネットワークＮに選択要求ｄが送信されて、これを管理装置１０で受信する（Ｓ５８：Ｙｅｓ）。
情報選択部１５は、データベース３０に登録されているスタッフ担当情報３４（第２情報）の中から、受信した選択要求ｄに付随するスタッフＩＤに紐付けられる第２情報を選択し、さらに関連付けられる第１情報を選択する（Ｓ５９）。
そして、このようにして選択された情報を、スケジュール表示フォームに割り付けて端末４０に送信する（Ｓ５６）。
すると、図７（Ｂ）に示されるように、端末４０を操作しているスタッフが担当する工程のみの情報がスケジュール画面に表示される（Ｓ５７）。
【００５０】
次に、図８（Ａ）に示すように、スケジュール画面に表示されているいずれの患者のいずれかの工程（マーク）を選択して、より詳細な情報を求めた場合（Ｓ５８：Ｎｏ）、端末４０からネットワークＮにテキスト情報要求ｅが送信されて、これを管理装置１０で受信する（Ｓ６０：Ｙｅｓ）。
【００５１】
そして、テキスト表示管理部１７は、データベース３０及び旧情報保持部２０のうち少なくともいずれかに含まれるテキスト情報を取得し（Ｓ６１）、これをテキスト表示フォームに割り付けて端末４０に送信する（Ｓ５６）。
すると、図８（Ｂ）に示されるように、テキストによる詳細で多くの情報が画面表示される（Ｓ５７）。
【００５２】
このテキスト情報要求は、他に表示される工程に対しても繰り返して行うことができる（Ｓ６０：Ｎｏ，Ｓ６２：Ｎｏ）。そして、スケジュール画面の閲覧を終了する場合は（Ｓ６２：Ｙｅｓ）、旧情報保持部２０に保持されている旧情報を削除して終了する（Ｓ６３）。
なお、この旧情報保持部２０に保持されている旧情報を削除するタイミングに関しては、所定の保持期間が経過した時点としてもよいし、その他のスタッフ全員が旧情報を確認した時点としてもよい。
【００５３】
本発明は前記した実施形態に限定されるものでなく、共通する技術思想の範囲内において、適宜変形して実施することができる。
例えば、重粒子線治療のスケジュール管理装置は、コンピュータによって各機能部を実現させることも可能であり、このコンピュータを重粒子線治療のスケジュール管理プログラムにより動作させることも可能である。
【００５４】
またスケジュール画面は、ウェブページとして管理装置１０において作成され、端末４０はブラウザ機能によりこのウェブページを閲覧するものとした。しかし、端末４０にプログラムをインストールして、上述した表示制御部１４、情報選択部１５、スケジュール表示フォーム格納部１６、テキスト表示管理部１７の機能を、端末４０に担わせることもできる。
【符号の説明】
【００５５】
１０…スケジュール管理装置（管理装置）、１１…送受信部、１２…認証部、１３…アクセス権限監視部、１４…表示制御部、１５…情報選択部、１６…スケジュール表示フォーム格納部、１７…テキスト表示管理部、１８…閲覧履歴蓄積部、１９…新情報保持部、２０…旧情報保持部、２１…データ管理部、３０…データベース、３１…患者情報（患者ＩＤ）、３２…スタッフ情報（スタッフＩＤ）、３３…患者日程情報（第１情報）、３４…スタッフ担当情報（第２情報）、４０…端末、４１…モニタ、４２…入力部、４３…通信部、４４…出入力処理部、４５…登録ボタン、４６…選択ボタン、ａ…変更要求、ｂ…更新要求、ｃ…閲覧要求、ｄ…選択要求、ｅ…テキスト情報要求、Ｎ…ネットワーク。
【図１】
0005542542.tif 000002
【図２】
0005542542.tif 000003
【図３】
0005542542.tif 000004
【図４】
0005542542.tif 000005
【図５】
0005542542.tif 000006
【図６】
0005542542.tif 000007
【図７】
0005542542.tif 000008
【図８】
0005542542.tif 000009
【図９】
0005542542.tif 000010
【図１０】
0005542542.tif 000011